(57)【要約】   【課題】  散歩の後に犬を屋内に入れる場合や、野山に連れて行った後に車内に乗せる場合に犬の足を洗うことができる簡便な犬用洗浄装置を提供すること。  【解決手段】  長手方向両端部に犬が出入りする開放した開口部11が形成され、長手方向両側部に側壁12が形成された犬を立たせるトレイ３を有する筐体１と、側壁12の内側に設けられた水を噴射する噴射口４および乾燥用温風の温風吹出口５と、トレイ３の下に配置され、洗浄に必要な水を貯留する給水タンク８およびトレイ３上から排出される水を貯留する排水タンク９と、給水タンク８より噴射口４へ水を送るポンプ７と、温風吹出口５へ温風を供給する温風器とを具備している。【選択図】      図１
2007037538.tif 000002
【特許請求の範囲】
【請求項１】
長手方向端部に犬が出入りする開放した開口部が形成され、長手方向両側部に側壁が形成され、犬を立たせるトレイを有する筐体と、
上記側壁の内側に設けられた水を噴射する噴射口および乾燥用温風の温風吹出口と、
上記トレイの下に配置され、洗浄に必要な水を貯留する給水タンクおよび上記トレイ上から排出される水を貯留する排水タンクと、上記給水タンクより上記噴射口へ水を送るポンプと、上記温風吹出口へ温風を供給する温風器とを具備することを特徴とする犬用洗浄装置。
【発明の詳細な説明】
【技術分野】
【０００１】
この発明は犬の下半身、特に足を水洗いするための簡便な犬用洗浄装置に関するものである。
【背景技術】
【０００２】
ペットブームにより、都市部では屋内で犬を飼育するケースが多く見られる。そのために、散歩から帰ってきた犬の足や足の裏に付着した汚れおよび指の間に入った汚れは、屋外の水道や浴室などの水栓のある洗い場において、水栓から放出する水を犬の足にかけることにより洗浄している（例えば、下記特許文献１参照）。
【発明の開示】
【発明が解決しようとする課題】
【０００３】
しかし、犬の汚れた足を素手で扱うことが不快、不潔であった。自宅で洗う場合には、後始末が大変なのでつい面倒になり、不衛生な状態になり易かった。
【０００４】
犬の足を洗う場合には、拘束を嫌う犬を、洗場に強引に誘導する必要があるとともに、手やブラシ類による擦りも必要であるので、比較的厄介で、時間もかかっていた。また、残り湯や水道水などを使用するので温度が一定ではなく、しかも、濡れた毛を乾かすのに時間がかかっていた。
【０００５】
そこで、散歩の後に屋内に入れる場合や、野山に連れて行った後に自動車内に乗せる場合に犬の足を洗うことができる簡便な犬用洗浄装置が求められていた。
【特許文献１】特開２００３−１３４９５５号公報
【課題を解決するための手段】
【０００６】
この発明の犬用洗浄装置は、長手方向端部に犬が出入りする開放した開口部が形成され、長手方向両側部に側壁が形成され、犬を立たせるトレイを有する筐体と、上記側壁の内側に設けられた水を噴射する噴射口および乾燥用温風の温風吹出口と、上記トレイの下に配置され、洗浄に必要な水を貯留する給水タンクおよび上記トレイ上から排出される水を貯留する排水タンクと、上記給水タンクより上記噴射口へ水を送るポンプと、温風吹出口へ温風を供給する温風器とを具備するものである。
【発明の効果】
【０００７】
この発明に係る犬の足の洗浄装置は、筐体が小型であるから持ち運びができて、犬を強引に拘束することなく、手やハンドブラシ類を使わずに犬の足を水洗することができる。
【０００８】
また、この犬用洗浄装置によれば、この水洗時には、犬が多少足を動かすので、足裏も含めて短時間で完全に洗浄することができる。
【０００９】
煩わしい洗浄から解放される。衛生的に洗浄できる。取扱いが簡単であるから今まで洗えなかった大型犬なども洗浄することが可能である。自動噴射、自動排水などにより、人は何ら手を汚すことなく犬の足を洗浄できる。温風を吹き出し乾燥を行うように構成されているので、手間のかかる乾燥が短時間で可能である。
【発明を実施するための最良の形態】
【００１０】
この発明の犬用洗浄装置は、図１の斜視図に示すように、可搬型筐体１のトレイ３の上に犬を立たせた後、噴射口４から、犬の左右の前足と後足に向って水を噴射し、犬の各足を裏部も含めて一斉に洗浄し、その後に温風を吹き付けて乾燥させるように構成したものである。
【００１１】
図１の斜視図、図２の縦断面図、図３の横断面図および図４の平面図に基づいて、この発明に係る犬用洗浄装置を説明する。
【００１２】
この発明の犬用洗浄装置は、主として犬を立たせた姿勢で収容可能な可搬型の筐体１と、この筐体１の底面に配置されたトレイ３と、犬の足に向かって水を噴射する噴射口４と、乾燥用温風を吹き出す吹出口５とにより構成されている。
【００１３】
筐体１は、洗浄対象とする犬の大きさに合わせる。犬の大きさは、種類により様々であるので、筐体１の大きさを変えた複数種類の装置をそれぞれ用意する。筐体１の材質には軽量なプラスティックが適している。
【００１４】
筐体１は、その長手方向両端部に犬が出入りする開放した開口部11が形成され、長手方向両側部に側壁12が形成されており、両側壁12は、洗浄中に水が飛散しないように上部を内側に湾曲させている。両側壁12の外側には、ハンドキャリー用のベルト２を通す穴21をあけておき、持ち手23を付けたベルト22を取り付けて装置の持ち運びに便利ならしめている。
【００１５】
筐体１の底面には、犬を立たせて足部を洗浄し、洗浄した水を流す長方形のトレイ３を備えている。トレイ３の一端部（下流側）には排水口31があけられており、トレイ３は、この排水口31に向かって傾斜しており、足の裏の汚れを落とし易くするために、トレイ３の表面に細くて浅い縞状の溝条（図示せず）を成形するか、洗浄用のマットを敷く。トレイ３の排水口31には、開閉自在な弁を設けて排水口31を閉塞可能にし、トレイ３上に水を貯留できるように構成されている。さらに、トレイ３の他端部（上流側）には、細長い清掃水の流出口６があけられている。
【００１６】
図２に示すように、トレイ３の下には、給水タンク８、給水タンク８から水を噴射口４へ加圧して供給するポンプ７、温風吹出口５に温風を供給する温風器、排水タンク９などの必要な装置が収納されている。
【００１７】
筐体１の両側壁11の内側の下方には、立たせた犬の足もとに向けて洗浄水を噴出する４の噴出口４を備えている。この洗浄水の噴出口４は、水を扇形に水平に噴出させるか、細い水流を左右に振らせて全足に水を満遍なく当てるように構成されている。さらに、犬の存在をを検知するためのセンサー24が設けられている。
【００１８】
噴射口４と清掃水の流出口６には、床下の給水タンク８に貯留された水を給水管を経てポンプ７により供給される。噴出口４と清掃水の流出口６への水の供給を切換えるために、給水管の途中に切換弁84が設けられている。
【００１９】
筐体１の両側壁２の内側の下方には、犬の足もとに乾燥用の温風を吹き付ける温風吹出口５を備えている。床下に設けられたヒーター51とシロッコフアン52よりなる温風発生器で暖められた温風をダクト53を経て温風吹出口５に送られる。
【００２０】
トレイ３の中央付近の裏面にはトレイ３を振動させる超音波振動装置などの振動装置（図示せず）が取り付けてもようのである。
【００２１】
床下に設けた給水タンク８は、洗浄に必要な水を貯留しておくタンク８であって、取り外し可能なカートリッジ・タンクとし、全体の形状は床下に収まるように平たくて、手前側には取っ手81が取り付けられており、端部には水の出し入れをする接続口81が設けられており、水を入れる際には蓋を外して給水し、給水タンク８を筐体１に収めた際には給水管82と接続するように構成されている。また、筐体１内に給水タンク８を固定し、給水口を筐体１の表面に設けてもよいのである。
【００２２】
寒冷期に冷水を犬にかけると犬がいやがるので、給水タンク８か、給水管の一部分に水を加熱するヒーターを取り付けてもよいのである。
【００２３】
さらに、床下には使用済みの排出された水を貯留する排水タンク９を備えている。排水タンク９も取り外し可能なカートリッジ・タンクとし、全体の形状は床下に収まるように平たくて、手前には取っ手91が取り付けられており、端部には水の出し入れをする接続口92が設けられている。排水タンク９を筐体１に収めた際にはトレイ３の排水口31と接続し、水を捨てる際には引き出して排水するように構成されている。
【００２４】
水を循環させるためのポンプ７や切換弁84、シロッコファン52やヒーター51を動かすための電源やこれらを制御する装置の電源は、交流単独または交・直両用（AC１００V、DC１２V）とし、家庭用電源を使用したり、自動車のバッテリーを使えるようにしてもよいのである。
【００２５】
次に、本発明の犬用洗浄装置の動作について説明する。給水タンク８に水を入れ、排水タンク９を空にして装置のスイッチを入れる。犬を筐体１の中のトレイ３の上に立たせる。犬が筐体１の中に入るとセンサー24が検知してポンプ７が一定時間作動して噴射口４から水を噴射して、犬の洗浄を開始する。トレイ３の上で犬が足を動かすことにより、トレイ表面の浅い縞状の溝条と足が擦れて足の裏の汚れを落とすことができる。
【００２６】
水が一定時間噴射されて洗浄が終了すると、ポンプ７を一旦停止させて、温風器を動作させて、吹出口５から温風を吹き出して濡れた犬を乾燥させ、乾燥が終了すると一連の洗浄乾燥が終わり、筐体１から犬を連れ出す。
【００２７】
また、犬の洗浄時に排水口31の弁を閉じて、噴射された水を排水タンク９へ流し出すことなくトレイ３上に水を浅く溜めて、トレイ３の中央裏面の超音波振動装置（図示せず）を動作させて、水を振動させることにより洗浄効果を高めることができる。一定時間の超音波洗浄が終了すると、超音波振動装置を停止させて排水口31の弁を開いてトレイ３上に水を流し出したのち、温風を吹出口５から吹き出して濡れた犬を乾燥させ、乾燥が終了すると一連の洗浄乾燥が終わり、筐体１から犬を連れ出す。
【００２８】
次に、給水管の切換弁84を切り換えて、給水タンク８を清掃水の流出口６に連通させて、ポンプ７を再度、一定時間動作させると、流出口６から水が流出して、トレイ３の表面を洗い流す。この洗い流した水は、排水口31を経て排水タンク８に蓄えられる。
【００２９】
最後に、排水タンク９を筐体１から外して、排水タンク９に蓄えられた汚水を捨てるともに、給水タンク８に水を補給して一連の作業が終了する。
【００３０】
これら一連の動作は、センサーやタイマーを設けて自動的に行ってもよいし、人間が洗浄、排出状況を見ながら手動で行えるようにしてもよい。
【００３１】
また、暗がりで使用する際に備えて、筐体１の内側を照らすライト25を取り付けてもよいのである。
【００３２】
（その他の実施形態）
以上で説明した実施形態においては、筐体１の長手方向両端部に犬が出入りする開放した開口部11が形成されているが、図５の斜視図に示すように、犬が逃げ出さないように開口部11を一方の端部のみに形成してもよいのである。
【００３３】
図６の正面図に示すように、水の噴射口４を中心部に配置し、温風の吹出口５を周囲に配置して、水の噴射口と温風の吹出口とを一体化し、これを筐体１の両側壁12に２つづつ設け、それぞれ犬の4本の足に向けて指向させる。
【００３４】
このように構成すると、犬の4本の足に向けて水の噴射と温風の吹き付けを的確に行うことがでる。
【図面の簡単な説明】
【００３５】
【図１】この発明の犬用洗浄装置の実施形態を示す斜視図、
【図２】この発明の犬用洗浄装置の横断面図、
【図３】この発明の犬用洗浄装置の縦断面図、
【図４】この発明の犬用洗浄装置の平面図、
【図５】この発明の犬用洗浄装置の他の実施形態を示す斜視図、
【図６】水の噴射口と温風吹出口を一体化した他の実施形態を示す正面図である。
【符号の説明】
【００３６】
１  筐体
11  開口部
12  側壁
２  ハンドキャリー用のベルト
21  穴
22  ベルト
23  持ち手
24  センサー
25  ライト
３  トレイ
31  排水口
４  噴射口
５  温風吹出口
51  ヒーター
52  シロッコファン
53  ダクト
６  清掃水の流出口
７  ポンプ
８  給水タンク
81  取っ手
82  接続口
83  給水管
84  切換弁
９  排水タンク
91  取っ手
92  接続口
【図１】
2007037538.tif 000003
【図２】
2007037538.tif 000004
【図３】
2007037538.tif 000005
【図４】
2007037538.tif 000006
【図５】
2007037538.tif 000007
【図６】
2007037538.tif 000008